(57)【要約】      （修正有） 【課題】可視蓋部材を具える双方向ラチェットレンチを提供する。【解決手段】両面を貫通する第１収納溝１１と、上面を開口面とし底面に貫通孔を穿設した第２収納溝１２を形成してなるレンチヘッド１０と、弾性留め金２１をストッパーとしてレンチヘッドの第１収納溝に取り付けるラチェットソケット２０と、レンチヘッドの第２収納溝に設けてラチェットソケットに歯合させ、底端にねじ孔を形成した操作つまみ３１を含む、双方向爪車制御部材３０と、操作つまみが貫通する操作つまみ取付け孔４１を穿設し、かつ前方両側端部には凸点４２をそれぞれ形成するとともに、凸点に近接した位置に切り欠き状のスリット４３をそれぞれ形成し、レンチヘッドの第２収納溝に設ける蓋部材４０と、を含み、第２収納溝の凸点に対応する位置には円弧状溝１２２を形成し、蓋部材を凸点とレンチヘッドの円弧状溝とによって位置決めし、貫通孔にねじ５０を挿過して操作つまみの底端に形成したネジ孔に螺着して、安定した位置決めを形成する。【選択図】図１
0003213997.tif 000002
【実用新案登録請求の範囲】
【請求項１】
レンチヘッドと、ラチェットソケットと、１組の双方向爪車制御部材と、蓋部材とを含むラチェットレンチにおいて、該レンチヘッドは、該レンチヘッドの両面を貫通する第1収納溝と、該第１収納溝に連通するとともに、上面を開口面とし、底面に貫通孔を穿設した第２収納溝を形成してなり、
該ラチェットソケットは、弾性留め金をストッパーとして該レンチヘッドの該第1収納溝に取り付け、
該双方向爪車制御部材は、該レンチヘッドの該第２収納溝に設け、かつ該ラチェットソケットに歯合させ、かつ該双方向爪車制御部材は、底端にねじ孔を形成した操作つまみを含み、
該蓋部材には、該操作つまみが貫通する操作つまみ取付け孔を穿設し、かつ前方両側端部には凸点をそれぞれ形成するとともに、該蓋部材の前方両側端部であって、該凸点に近接した位置に、切り欠き状のスリットをそれぞれ形成し、該蓋部材を該レンチヘッドの該第２収納溝に設け、
該第２収納溝の該凸点に対応する位置には円弧状溝を形成し、該蓋部材を該凸点と該レンチヘッドの該円弧状溝とによって位置決めし、
該操作つまみの位置は、該レンチヘッドの該第２収納溝の底面に形成した該貫通孔の位置に対応し、該貫通孔にねじを挿過して該操作つまみの底端に形成した該ネジ孔に螺着して、三点支持の安定した位置決めを形成すること、を特徴とする可視蓋部材を具える双方向ラチェットレンチ。
【請求項２】
前記蓋部材は、フラットなプレート状の蓋体であることを特徴とする請求項１に記載の可視蓋部材を具える双方向ラチェットレンチ。
【請求項３】
前記蓋部材は、光透過性の材質から形成された蓋体であることを特徴とする請求項２に記載の可視蓋部材を具える双方向ラチェットレンチ。
【請求項４】
前記蓋部材は、階段状部によって凹部と凸部が形成された蓋体であることを特徴とする請求項１に記載の可視蓋部材を具える双方向ラチェットレンチ。
【請求項５】
前記蓋部材は、光透過性の材質から形成された蓋体であることを特徴とする請求項４に記載の可視蓋部材を具える双方向ラチェットレンチ。
【考案の詳細な説明】
【技術分野】
【０００１】
この考案はラチェットレンチに関し、特に蓋部材前方両側に凸点を形成し、操作つまみを組み合わせて安定した三点支持によって位置決めする可視蓋部材を具える双方向ラチェットレンチに関する。
【背景技術】
【０００２】
従来の双方ラチェットレンチは、第１収納溝及び該第１収納溝の一方の側面に連通する第２収納溝を形成したレンチヘッドと、該第１収納溝に設けた弾性留め金による位置の制限を受け、かつ該第２収納溝に設けた双方向回転制御爪車部材が歯合するラチェットソケットと、及び該第２収納溝の一方の側面に設ける蓋部材と、を含んでなる。また、操作つまみは一端が該蓋部材を通過して設けられ、蓋部材の後端がねじ留めされて操作つまみの位置が制限され、操作つまみは蓋部材上に位置が制限される。
【０００３】
然しながら、従来の双方向ラチェットレンチの蓋部材は、操作つまみの単一ポイントによって位置を制限する。よって従来のラチェットレンチは修理、保守のため調整つまみの取り外して取り換えることが容易ではあるが、従来のラチェットレンチの蓋部材は単一ポイントによって位置を制限するため蓋部材の両側において、ゆるみ、反りが容易に発生して不安定な状態となりやすい。よって確かな改善の必要がある。
【考案の概要】
【考案が解決しようとする課題】
【０００４】
安定した位置決めの得られる可視蓋部材を具えるラチェットレンチをを提供することを課題とする。
【課題を解決するための手段】
【０００５】
上述する従来の構造にみられる問題点に対して、より理想的で実用的な構造を如何にして開発するのか、これこそが消費者の切実に望むところであり、また関連業者が努力して研究開発を進め突破すべき目標であり、方向である。これに鑑み、本考案者は多年にわたり関連製品の製造、開発、設計に従事してきた経験に基づき、上述する課題に対し、詳らかな設計を加え、慎重に評価し、終に実用性を確実に具える本考案を完成させた。
【０００６】
この考案は、可視蓋部材を具える双方向ラチェットレンチを提供するものであって、  その蓋部材は２つの凸点とレンチヘッドに形成した２つの円弧状溝によって位置決めし、レンチの第２収納溝の一方の側に操作つまみに対応する位置に貫通孔を穿設し、ねじを該貫通孔に挿通して該操作つまみの底端に形成したねじ孔に螺着して三点支持による安定した蓋部材の位置決めを得る。
【０００７】
即ち、この考案による可視蓋部材を具える双方向ラチェットレンチは、両面を貫通する第1収納溝と該第１収納溝に連通するとともに、上面を開口面とし底面に貫通孔を穿設した第２収納溝を形成してなるレンチヘッドと、弾性留め金をストッパーとして該レンチヘッドの該第1収納溝に取り付けるラチェットソケットと、該レンチヘッドの該第２収納溝に設けて該ラチェットソケットに歯合させ、底端にねじ孔を形成した操作つまみを含む、該双方向爪車制御部材と、該操作つまみが貫通する操作つまみ取付け孔を穿設し、かつ前方両側端部には凸点をそれぞれ形成するとともに、該凸点に近接した位置に切り欠き状のスリットをそれぞれ形成し、該レンチヘッドの該第２収納溝に設ける蓋部材と、を含み、該第２収納溝の該凸点に対応する位置には円弧状溝を形成し、該蓋部材を該凸点と該レンチヘッドの該円弧状溝とによって位置決めし、該貫通孔にねじを挿過して該操作つまみの底端に形成した該ネジ孔に螺着して、三点支持の安定した位置決めを形成する。
【図面の簡単な説明】
【０００８】
【図１】この考案による双方向ラチェットレンチの可視蓋部材を分解した状態を示した説明図である。
【図２】この考案による可視蓋部材を具える双方向ラチェットレンチの斜視図である。
【図３】この考案による可視蓋部材を具える双方向ラチェットレンチを分解した状態を他方向から見た説明図である。
【図４】この考案による可視蓋部材を具える双方向ラチェットレンチを図３の方向と異なる方向から見た斜視図である。
【図５】他の実施の形態による双方向ラチェットレンチの局部を分解した状態を示した説明図である。
【考案を実施するための形態】
【実施例】
【０００９】
この考案は可視蓋部材を具える双方向ラチェットレンチを提供するものであって、その構造と特徴を説明するために、具体的な実施例を挙げ、図面を参照にして以下に詳述する。
【００１０】
図１から図５に開示するように、この考案による可視蓋部材を具える双方向ラチェットレンチは、レンチヘッド１０と、ラチェットソケット２０と、及び１組の双方向爪車制御部材３０とを含む。
【００１１】
レンチヘッド１０は、第１収納溝１１と第２収納溝１２とを形成してなり、第1収納溝１１は両面を貫通し、第２収納溝１２は第１収納溝１１に連通するとともに、上面を開口面とし、底面に貫通孔１２１を穿設する。
【００１２】
ラチェットソケット２０は、弾性留め金２１をストッパーとして第1収納溝１１に取り付ける。
【００１３】
双方向爪車制御部材３０は、レンチヘッド１０の第２収納溝１２に設ける。双方向爪車制御部材３０は、ラチェットソケット２０に歯合するまた、双方向爪車制御部材３０は、底端にねじ孔３１１を形成した操作つまみ３１を含む。
【００１４】
また、この考案の特徴として、さらに蓋部材４０を含む。蓋部材４０には操作つまみ３１が貫通する操作つまみ取付け孔４１を穿設する。蓋部材４０の前方両側端部には凸点４２をそれぞれ形成するとともに、蓋部材４０の前方両側端部であって、凸点４２に近接した位置に、切り欠き状のスリット４３をそれぞれ形成する。蓋部材４０は、レンチヘッド１０の第２収納溝１２に設ける。また、第２収納溝１２の凸点４２に対応する位置には円弧状溝１２２を形成する。よって、蓋部材４０は凸点４２とレンチヘッド１０の円弧状溝１２２によって位置決めされる。また、操作つまみ３１の位置は、レンチヘッド１０の第２収納溝１２は、底面に形成した貫通孔１２１の位置に対応し、ねじ５０を貫通孔１２１に挿通して操作つまみ３１の底端に形成したネジ孔３１１に螺着することで、三点支持の安定した位置決めが得られる。
【００１５】
図５に開示するように、この考案による双方向ラチェットレンチの可視蓋部材の構造において、蓋部材４０はフラットなプレート状の蓋体であってもよい。
【００１６】
図１、２に開示するように、この考案による双方向ラチェットレンチの可視蓋部材の構造において、蓋部材４０は階段状部によって凹部と凸部が形成された蓋体である。
【００１７】
図１から図５に開示するこの考案の双方向ラチェットレンチの可視蓋部材の構造において、蓋部材４０は光透過性の材質によってなる蓋体である。
【００１８】
以上から明らかなように、この考案による可視蓋部材を具える双方向ラチェットレンチは、業界において初めて見られるものであることから、確実に実用新案の新規性の要件に適合するものであり、その全面的で創作的な設計は、実用新案の進歩性の要件に適合するものである。その蓋体は二つの凸点とレンチヘッドの２つの円弧上溝とによって位置決めされ、かつラチェットレンチの第２収納溝の底面の操作つまみに対する位置に貫通孔を穿設し、該貫通孔にねじを挿通して操作つまみ底面のネジ孔に螺着することで三点支持を形成して蓋体の安定した位置決めを得る、係る構造は好ましい産業への利用性に適合するものである。
【００１９】
以上は、この考案の好ましい実施の形態を挙げて、その特徴について説明したものであるが、但し、当業者がこの考案の精神と原則を離れないという原則の下で、この考案に対して変更、修正を加えることは可能であるが、これら変更、修正などは、いずれもこの考案の実用新案登録請求の範囲に含まれる。
【００２０】
以上をまとめると、この考案は可視蓋部材を具える双方向ラチェットレンチを提供するものであって、この考案が解決しようとする課題は、確かに解決されている。また、その組み合わせ構造は、同類の製品には見られることがなく、本願の出願以前に公開されてはいない。よって、実用新案登録出願に係る法規に符合するものであり、ここに実用新案登録出願を提出する。
【符号の説明】
【００２１】
１０    レンチヘッド
１１    第１収納
１２    第２収納溝
１２１  貫通孔
１２２  円弧状溝
２０    ラチェットソケット
２１    弾性留め金
３０    双方向爪車制御部材
３１    操作つまみ
３１１  ねじ孔
４０    蓋部材
４１    操作つまみ取付け孔
４２    凸点
４３    スリット
５０    ねじ
【図１】
0003213997.tif 000003
【図２】
0003213997.tif 000004
【図３】
0003213997.tif 000005
【図４】
0003213997.tif 000006
【図５】
0003213997.tif 000007